(57)【要約】【課題】木製の梁の接合構造において、簡単な構造で大きな力が円滑に伝達されるのを可能とすること、又はこれに加えて梁の側面にボルト頭部等が露出するのを低減することを目的とする。【解決手段】第１の木製梁２１の側面に第２の木製梁２２の端面を突き当てて接合するものとし、第１の木製梁に鉛直孔２１ａを穿設する。この孔に螺旋状の張り出し部を有する第１のスクリュー部材３１をねじ込む。第１のスクリュー部材には、軸線と直角方向にねじ穴が設けられており、第１の木製梁の側面から第１のスクリュー部材に向かう横穴２１ｂに挿通したボルト３４によって第１の木製梁の側面に梁接合金具３３を固定する。一方、第２の木製梁の端部にも第２のスクリュー部材３２をねじ込み、第２の木製梁及び第２のスクリュー部材を貫通するピン３５によって第２の木製梁を上記梁接合金具と連結する。【選択図】　　図４
2004092149.tif 000002
【特許請求の範囲】
【請求項１】
第１の木製梁の側面に第２の木製梁の端面を突き当てて接合する二つの木製梁の接合構造であって、
第１の木製梁に穿設された鉛直孔に、周面に螺旋状の張り出し部と横方向のねじ穴又は貫通孔とを有する第１のスクリュー部材がねじ込まれており、
前記第１の木製梁の側面から前記第１のスクリュー部材に到る横穴に挿通して前記ねじ穴に螺合されたボルト、又は前記貫通孔に挿通されたボルトによって該第１の木製梁の側面に梁接合金具が固定され、
該梁接合金具と第２の木製梁とが連結されていることを特徴とする梁の接合構造。
【請求項２】
前記梁接合金具は、前記第１の木製梁の側面に当接される第１の接合板部と、該第１の接合板部とほぼ垂直に設けられた第２の接合板部とを有し、
前記第１の接合板部が前記ボルトによって前記第１の木製梁に固定され、
前記第２の接合板部が、前記第２の木製梁を水平方向に貫通するピン又はボルトによって、該第２の木製梁に結合されていることを特徴とする請求項１に記載の梁の接合構造。
【請求項３】
前記第２の木製梁の端部に、上下方向に第２のスクリュー部材がねじ込まれており、
該第２の木製梁を貫通する前記ピン又はボルトは、前記第２のスクリュー部材に設けられた水平方向の貫通孔に挿通されていることを特徴とする請求項２に記載の梁の接合構造。
【請求項４】
前記梁接合金具は、前記第１の接合板部の両側縁からほぼ平行に２つの第２の接合板部が設けられ、
第２の木製梁の端部には、二つの鉛直方向のスリットが形成され、前記第２の接合板部は前記スリット内に挿入して結合されていることを特徴とする請求項２又は請求項３に記載の梁の接合構造。
【請求項５】
前記ボルトは、前記第１のスクリュー部材の貫通孔に挿通されるとともに、前記第１の木製梁を貫通し、
該ボルトによって、前記第１の木製梁の両側面にそれぞれ梁接合金具が固定されており、該梁接合金具に第２の木製梁及び第３の木製梁がそれぞれ連結されていることを特徴とする請求項１に記載の梁の接合構造。
【請求項６】
第１の木製梁の端面に第２の木製梁の端面を突き当てて接合する二つの梁の接合構造であって、
第１の木製梁に穿設された鉛直穴に、周面に螺旋状の張り出し部と横方向のねじ穴を有する第１のスクリュー部材がねじ込まれており、
前記第１の木製梁の端面から前記第１のスクリュー部材に到る横穴に挿通して前記ねじ穴に螺合されたボルトによって該第１の木製梁の端面に梁接合金具が固定され、
該梁接合金具と第２の木製梁とが連結されていることを特徴とする梁の接合構造。
【請求項７】
前記第２の木製梁の端部に、上下方向に第２のスクリュー部材がねじ込まれており、
前記梁接合金具は、前記第１の木製梁の端面に当接される第１の接合板部と、該第１の接合板部とほぼ垂直に設けられた第２の接合板部とを有し、
前記第１の接合板部が前記ボルトによって前記第１の木製梁の端面に固定され、
前記第２の接合板部が、前記第２の木製梁を水平方向に貫通するとともに前記第２のスクリュー部材に設けられた貫通孔に挿通されているピン又はボルトによって、該第２の木製梁に結合されていることを特徴とする請求項６に記載の梁の接合構造。
【請求項８】
前記第１のスクリュー部材の上端面又は下端面には、該第１のスクリュー部材の軸線方向にねじ穴が設けられており、
該ねじ穴に螺合される柱固定用ボルトによって、鉛直方向に配置される木製柱の下端部又は上端部と接合されていることを特徴とする請求項１又は請求項６に記載の梁の接合構造。
【請求項９】
前記第２のスクリュー部材の上端面又は下端面には、該第２のスクリュー部材の軸線方向にねじ穴が設けられており、
該ねじ穴に螺合される柱固定用ボルトによって、鉛直方向に配置される木製柱の下端部又は上端部と接合されていることを特徴とする請求項３又は請求項７に記載の梁の接合構造。
【請求項１０】
前記柱固定用ボルトは、前記木製柱に固着された柱固定金具を前記木製梁に結合するものであり、
前記柱固定金具は、前記木製梁に当接される第１の板部と、該第１の板部の対向する２辺から垂直に立ち上げられた２つの第２の板部とを有し、
前記第１の板部は、ボルト孔を有し、該ボルト孔に挿通された前記柱固定用ボルトによって前記スクリュー部材と結合されており、
前記第２の板部は、前記木製柱に水平方向に貫入される複数のピン又はボルトで該木製柱に結合されていることを特徴とする請求項８又は請求項９に記載の梁の接合構造。
【発明の詳細な説明】
【０００１】
【発明の属する技術分野】
本願発明は、木造建築物における梁と梁とを接合する構造に係り、特に高さの大きい梁を現場で容易に接合することができ、大きなせん断力の伝達が可能な梁の接合構造に関する。
【０００２】
【従来の技術】
木造建築物における梁と梁との接合構造は、古くから一般に普及している工法では、受梁に切り欠きを設けるとともに、掛け合わせる梁に上記切り欠きにはめ合わせられる仕口を施している。このような接合構造では、双方の梁に切削加工を施すために、断面の欠損が生じ、大きな力が伝達される接合部では構造上の弱点になるおそれがある。また、近年は合成材等の普及により高さが大きい梁を用いる場合が増加しており、梁の高さ（梁せい）が大きい場合には、梁自体の耐力に見合った構造とするのが難しい。
【０００３】
このため、梁と梁とを金物でも用いて接合する技術が提案されており、例えば、特開平８−２３９９１３号公報、特開平１０−２５８１０号公報、特開２０００−１９９２８２号公報及び特開２０００−１０４３４０号公報に開示されるものがある。
【０００４】
【発明が解決しようとする課題】
しかしながら、上記のような従来の技術では、次にような改良が望まれる点がある。
上記公報に記載の接合構造はいずれも接合用の金物を梁の側面又は柱の側面にボルト又は釘等によって固着し、接合する他の梁に上記金物をボルト、釘、ピン等によって結合するものとなっている。したがって、接合される梁間で大きなせん断力が作用する場合に、この力が上記金物からボルト、釘等を介して木部に伝達される。つまり、水平方向のボルト又は釘の周面と木部との間に作用する支圧力として木部に集中して鉛直方向の力が伝達される。また、作用する鉛直方向の力に応じて大きなボルトを用いることになり、ボルト頭部又はナットが梁の側面に露出することになる。このようなボルト頭部又はナットが梁の側面に露出する部分が天井裏等に納められる場合は問題とならないが、居室内に露出することができず、室内空間の利用に支障を生じる場合も生じる。
【０００５】
また、梁と梁との接合部には、さらに柱が接合される場合が多く、特に柱と梁との間で曲げモーメントが伝達される構造、つまりラーメン構造とする場合には接合部の構造が複雑になる。そして、２つの梁間及び柱と梁との間で伝達される力が局部的に集中して作用することがあり、力が分散して伝達される接合構造が望まれる。
【０００６】
本願発明は上記のような事情に鑑みてなされたものであり、その目的は、木製の梁の接合構造において、簡単な構造で大きな力が円滑に伝達されるのを可能とすること、又はこれに加えて梁の側面にボルト頭部等が露出するのを低減することである。
【０００７】
【課題を解決するための手段】
上記課題を解決するために、請求項１に係る発明は、　第１の木製梁の側面に第２の木製梁の端面を突き当てて接合する二つの木製梁の接合構造であって、　第１の木製梁に穿設された鉛直孔に、周面に螺旋状の張り出し部と横方向のねじ穴又は貫通孔とを有する第１のスクリュー部材がねじ込まれており、　前記第１の木製梁の側面から前記第１のスクリュー部材に到る横穴に挿通して前記ねじ穴に螺合されたボルト、又は前記貫通孔に挿通されたボルトによって該第１の木製梁の側面に梁接合金具が固定され、　該梁接合金具と第２の木製梁とが連結されている梁の接合構造を提供する。
【０００８】
上記構成において、第２の木製梁と梁接合金具とを連結する手段は、請求項２に記載された手段、特に請求項３に記載された手段を用いるのが望ましいが、この他に、梁接合金具を釘又はビスで固着する構造、又は梁接合金具に梁受け部を設け、第２の梁をこの梁受け部に載せ掛けるように連結するもの等を採用することができる。
【０００９】
この接合構造では、第２の木製梁から梁接合金具に作用する鉛直方向の力は、ボルトを介して第１のスクリュー部材に伝達される。そして、第１のスクリュー部材は、第１の木製梁に鉛直方向にねじ込まれ、その周面の張り出し部によって全長にわたって第１の木製梁と係止されている。したがって、全長にわたって鉛直方向の力が伝達され、局部的に応力が集中することなく、大きな鉛直方向の力が円滑に第１の木製梁に伝達される。また、第１のスクリュー部材は、第１の木製梁の鉛直方向すなわち木目と直角方向にねじ込まれ、第１の木製梁に木目に沿った割れが生じるの防止する機能を有することになる。
【００１０】
さらに、梁接合金具を第１のスクリュー部材に螺合されるボルトで固着することにより、梁接合金具を取り付けた部分で第１の木製梁の側面にボルト頭部又はナット等が露出することがなくなり、良好な外観とすることができる。したがって、この部分を居室内に現れるように内装を設計しても良好な居室環境が得られる。
【００１１】
なお、上記第１の木製梁及び第２の木製梁は、軒桁、胴差、大引き等横方向に架設される木部材一般を含むものである。そして、これらの梁の断面寸法が、梁幅より梁の高さが大きいときに、特に本発明を有効に適用することができる。
【００１２】
請求項２に係る発明は、請求項１に記載の梁の接合構造において、　前記梁接合金具は、前記第１の木製梁の側面に当接される第１の接合板部と、該第１の接合板部とほぼ垂直に設けられた第２の接合板部とを有し、　前記第１の接合板部が前記ボルトによって前記第１の木製梁に固定され、　前記第２の接合板部が、前記第２の木製梁を水平方向に貫通するピン又はボルトによって、該第２の木製梁に結合されているものとする。
【００１３】
この接合構造では、第１の木製梁に梁接合金具を取り付けた後に、第２の木製梁を梁接合金具に容易に固定することができる。そして、第２の木製梁からピン又はボルトを介して梁接合金具の第２の接合板部に鉛直方向の力が伝達される。
【００１４】
請求項３に係る発明は、請求項２に記載の梁の接合構造において、　前記第２の木製梁の端部に、上下方向に第２のスクリュー部材がねじ込まれており、　該第２の木製梁を貫通する前記ピン又はボルトは、前記第２のスクリュー部材に設けられた水平方向の貫通孔に挿通されているものとする。
【００１５】
この接合構造では、第２の木製梁の端部に鉛直方向に第２のスクリュー部材が貫入されており、第２の木製梁からこのスクリュー部材に力が伝達され、さらにピン又はボルトを介して梁接合金具に伝達される。したがって、第２の木製梁に局部的に大きな応力が生じることなく、鉛直方向の力が第１の木製梁に伝達される。また、第２の木製梁の端部は、鉛直方向にねじ込まれた第２のスクリュー部材によって、割れ等に対して補強される。
【００１６】
請求項４に係る発明は、請求項２又は請求項３に記載の梁の接合構造において、　前記梁接合金具は、前記第１の接合板部の両側縁からほぼ平行に２つの第２の接合板部が設けられ、　第２の木製梁の端部には、二つの鉛直方向のスリットが形成され、前記第２の接合板部は前記スリット内に挿入して結合されているものとする。
【００１７】
この接合構造では、梁接合金具の第２の接合板部が第２の木製梁に設けられたスリット内に挿入され、第１の木製梁と第２の木製梁とのが接合された状態では梁接合金具が外部からな見えなくなる。したがって、接合部を良好な外観とすることができ、この部分が居室内に露出するように空間を利用することも可能となる。
【００１８】
請求項５に係る発明は、請求項１に記載の梁接合構造において、　前記ボルトは、前記第１のスクリュー部材の貫通孔に挿通されるとともに、前記第１の木製梁を貫通し、　該ボルトによって、前記第１の木製梁の両側面にそれぞれ梁接合金具が固定されており、該梁接合金具に第２の木製梁及び第３の木製梁がそれぞれ連結されているものとする。
【００１９】
この接合構造では、第１の木製梁に鉛直に貫入した第１のスクリュー部材を用いて第１の木製梁の両側面に第２の木製梁及び第３の木製梁を接合することができ、簡単な構造で３つの梁を接合することが可能となる。
【００２０】
請求項６に係る発明は、　第１の木製梁の端面に第２の木製梁の端面を突き当てて接合する二つの梁の接合構造であって、　第１の木製梁に穿設された鉛直穴に、周面に螺旋状の張り出し部と横方向のねじ穴を有する第１のスクリュー部材がねじ込まれており、　前記第１の木製梁の端面から前記第１のスクリュー部材に到る横穴に挿通して前記ねじ穴に螺合されたボルトによって該第１の木製梁の端面に梁接合金具が固定され、　該梁接合金具と第２の木製梁とが連結されている梁の接合構造を提供するものである。
【００２１】
この接合構造では、２つの木製梁の端面を突き合わせて接合することができ、双方の梁間で請求項１に係る発明と同様の構造で鉛直方向の力を伝達することができる。
【００２２】
請求項７に係る発明は、請求項６に記載の梁の接合構造において、　前記第２の木製梁の端部に、上下方向に第２のスクリュー部材がねじ込まれており、　前記梁接合金具は、前記第１の木製梁の端面に当接される第１の接合板部と、該第１の接合板部とほぼ垂直に設けられた第２の接合板部とを有し、　前記第１の接合板部が前記ボルトによって前記第１の木製梁の端面に固定され、　前記第２の接合板部が、前記第２の木製梁を水平方向に貫通するとともに前記第２のスクリュー部材に設けられた貫通孔に挿通されているピン又はボルトによって、該第２の木製梁に結合されているものとする。
【００２３】
この接合構造では、第２の木製梁と梁結合金具との間で鉛直方向の力が円滑に伝達されるとともに、双方の梁の端部は２つのスクリュー部材によって補強される。また、双方の梁の側面に大きな接合金具を露出させることなく良好な外観とすることができる。
【００２４】
請求項８に係る発明は、請求項１又は請求項６に記載の梁の接合構造において、　前記第１のスクリュー部材の上端面又は下端面には、該第１のスクリュー部材の軸線方向にねじ穴が設けられており、　該ねじ穴に螺合される柱固定用ボルトによって、鉛直方向に配置される木製柱の下端部又は上端部と接合されているものとする。
【００２５】
この接合構造は、２つの木製梁の接合に用いた第１のスクリュー部材を利用して木製梁と柱とを接合するものである。第１のスクリュー部材は、第１の木製梁にねじ込まれ、その周面の張り出し部でしっかりと木製梁と係止されているので、柱の上端又は下端を第１の木製梁に緊結することができる。また、柱は上記第１のスクリュー部材のみによって接合するものに限らず、第１のスクリュー部材と所定間隔をおいて第１の木製梁にねじ込まれた第３のスクリュー部材との双方によって接合することができる。このときには、双方のスクリュー部材に作用する力の偶力により、曲げモーメントを伝達することができ、柱と木製梁とを接合してラーメン構造とすることもできる。また、第３のスクリュー部材を第２の木製梁にねじ込み、柱を第１の木製梁と第２の木製梁とにまたがるように接合することもできる。
なお、上記柱は、第１の木製梁又は第２の木製梁の下面に上端面を当接し、木製梁を支持するものでもよいし、これらの梁の上面に下端面が当接され、これらの梁上に立設される柱とすることもできる。また、第１のスクリュー部材を用いて梁を支持する柱及び梁上に立設される柱の双方を接合することもできる。
【００２６】
請求項９に係る発明は、請求項３又は請求項７に記載の梁の接合構造において、　前記第２のスクリュー部材の上端面又は下端面には、該第２のスクリュー部材の軸線方向にねじ穴が設けられており、　該ねじ穴に螺合される柱固定用ボルトによって、鉛直方向に配置される木製柱の下端部又は上端部と接合されているものとする。
【００２７】
この接合構造は、２つの木製梁の接合に用いた第２のスクリュー部材を利用して木製梁と柱とを接合するものである。第２のスクリュー部材も、第１のスクリュー部材と同様に木製梁にねじ込まれ、しっかりと梁に係止されているので、柱の上端又は下端を第２の木製梁に緊結することができる。また、第２の木製梁に他のスクリュー部材をねじ込みこのスクリュー部材とともに、曲げモーメントの伝達が可能に柱を接合することもできる。さらに２つの梁の端面を突き合わせて接合する場合には、双方の梁にまたがるように柱を接合することもできる。
なお、梁の下面又は上面に柱を接合することができ、双方に接合することもできる点は、請求項８に係る発明と同じである。
【００２８】
請求項１０に係る発明は、請求項８又は請求項９に記載の梁の接合構造において、　前記柱固定用ボルトは、前記木製柱に固着された柱固定金具を前記木製梁に結合するものであり、　前記柱固定金具は、前記木製梁に当接される第１の板部と、該第１の板部の対向する２辺から垂直に立ち上げられた２つの第２の板部とを有し、　前記第１の板部は、ボルト孔を有し、該ボルト孔に挿通された前記柱固定用ボルトによって前記スクリュー部材と結合されており、　前記第２の板部は、前記木製柱に水平方向に貫入される複数のピン又はボルトで該木製柱に結合されているものとする。
【００２９】
この接合構造では、スクリュー部材から柱固定用ボルトを介して鉛直方向の力が柱固定金具に伝達される。そして、ピン又はボルトによって木製の柱に力が確実に伝達される。
【００３０】
【発明の実施の形態】
以下、本願発明の実施の形態を図に基づいて説明する。
図１は、本願発明に係る梁の接合構造が好適に用いられる木造建築物の構造躯体を示す概略斜視図である。
この構造躯体は、木製柱１１，１２，１３，…と木製梁２１，２２，…とを曲げモーメントの伝達が可能に接合したラーメン架構体を複数組み合わせて形成されている。それぞれラーメン架構体を構成する木製柱及び木製梁は、ラーメン架構体の軸線を含む面と平行な方向の断面寸法を大きく、これと直角方向の断面寸法を小さくして扁平な部材となっている。したがって、各ラーメン架構体の各部材は一方向の曲げに抵抗する部材として用いられ、複数の一方向ラーメンを組み合わせて構造躯体の全体を構成している。各ラーメン架構体は、柱の上端面に梁を当接して接合する、いわゆる梁勝ち構造となっており、梁と梁とを接合することによって複数のラーメン架構体が互いに連結されている。
【００３１】
図２及び図３は、図１に示す構造躯体で用いられる梁の接合構造であって、請求項１、請求項２、請求項３又は請求項４に係る発明の一実施形態を示す断面図であり、図２は立断面、図３は平断面を示すものである。また、図４は同じ接合構造の分解斜視図である。
この接合構造は、第１の木製梁２１の側面に第２の木製梁２２の端面を当接して双方を接合するものであり、第１の木製梁２１にねじ込まれた第１のスクリュー部材３１と、第２の木製梁２２にねじ込まれた第２のスクリュー部材３２とを梁接合金具３３を介して連結するものである。
【００３２】
上記スクリュー部材３１，３２は、図５に正面図、側面図及び平面図を示すように、棒状の鋼部材の側面に螺旋状の張り出し部３１ａを設けたものであり、両端部には端面から軸線方向にねじ穴３１ｂが設けられている。また、長さ方向の中間部分には軸線と直角方向に貫通孔３１ｃが設けられ、第１のスクリュー部材３１では、この貫通孔の内周面に雌ねじが切削されている。また、第２のスクリュー部材３２の貫通孔はピンを挿通することができるできるように滑らかな内周面となっている。
【００３３】
これらのスクリュー部材３１，３２は、図４に示すように、第１の木製梁２１及び第２の木製梁２２の所定位置にそれぞれ鉛直方向の貫通孔２１ａ，２２ａを設け、さらに螺旋状の溝を切削した後にねじ込まれたものであり、スクリュー部材３１，３２の上下の端面は、木製梁２１，２２の上面及び下面より部材内側となるように長さが調整されている。
【００３４】
梁接合金具３３は、図４に示すように、第１の木製梁の側面に当接される第１の接合板部３３ａとこの第１の接合板部３３ａの対向する２辺から平行に立ち上げられた２つの第２の接合板部３３ｂとを有しており、第１の接合板部３３ａにはボルト３４を挿通する複数のボルト孔３３ｃが設けられている。また、第２の接合板部３３ｂには、ピン３５を挿通する複数の穴３３ｄが設けられている。この梁接合金具３３は、鋼板を曲げ加工して形成されたものであり、使用時に過度の変形が生じない程度の厚さを有するものである。
【００３５】
上記第１の木製梁２１には、側面から第１のスクリュー部材３１の周面に到る横穴２１ｂが穿設されている。そして、第１の木製梁２１の側面から横穴２１ｂに挿通して第１のスクリュー部材の貫通孔３１ｃに螺合されたボルト３４によって、梁接合金具３３が第１の木製梁２１の側面に固着されている。
【００３６】
一方、第２の木製梁２２の端部は、第１の木製梁２１の側面に当接されたときに、上記ボルト３４の頭部を収容する切り欠き２２ｂが設けられており、さらにこの切り欠き２２ｂからこの梁の両側面に平行な２つのスリット２２ｃが形成されている。このスリットには上記梁接合金具３３の２つの第２の接合板部３３ｂがそれぞれ挿入され、第２の木製梁２２の側面から挿入されたピン３５が第２の接合板部３３ｂの上記穴３３ｄに挿通されるとともに、第２のスクリュー部材３２の貫通孔３２ｃに挿通されている。
【００３７】
このような接合構造では、第２の木製梁２２に作用する鉛直方向の力は、第２のスクリュー部材３２の全長にわたる周面から該スクリュー部材に伝達され、この第２のスクリュー部材３２を水平方向に貫通するピン３５に伝達される。そして、このピン３５が梁接合金具の第２の接合板部３３ｂの穴３３ｄに挿通されているので、鉛直方向の力が梁接合金具３３に伝達され、第１の接合板部３３ａからボルト３４を介して第１のスクリュー部材３１に伝達される。第１のスクリュー部材３１は周面の張り出し部３１ａが第１の木製梁２１に係止されており、第１のスクリュー部材３１の全長にわたる周面から第１の木製梁２１に鉛直方向の力が伝達される。
【００３８】
また、第１の木製梁２１の側面にボルト頭部やナットは全く露出することがなく、第２の木製梁２２も側面にはピン３５の頭部が露出するのみとなり、梁接合金具３３は全く見えない状態となる。したがって、良好な外観とすることができ、第１の木製梁２１又は第２の木製梁２２が居室内に露出するようにしても、居室の内装は良好なものとすることができる。
【００３９】
上記のような接合構造の施工は次のように行うことができる。
まず第１の木製梁２１に第１のスクリュー部材３１をねじ込み、ボルト３４によって第１の木製梁２１の側面に梁接合金具３３を固着する。一方、第２の木製梁２２は、端部に第２のスクリュー部材３２をねじ込むとともに、最上部のピン３５ａを一本のみ側面から貫入し、第２のスクリュー部材の貫通孔３２ｃに挿通しておく。梁接合金具の第２の接合板部３３ｂに設けられた最上部の穴は、図４に示すように上方が開放されているので、上方から第２の木製梁２２を所定位置に降下させ、スリット２１ｂ内に梁接合金具の第２の接合板部３３ｂを挿入してゆくと、第２の木製梁２２に貫入されている最上部のピン３５ａが梁接合金具３３の最上部の穴に係止される。このようにして第２の木製梁２２は所定位置に仮支持され、その後に残りのピン３５を第２の木製梁２２を貫通するように挿入することによって双方の木製梁２１、２２をしっかりと接合することができる。
【００４０】
図６は、請求項５に係る発明の一実施形態である梁の接合構造を示す概略斜視図である。
この接合構造では、第１の木製梁４１に第１のスクリュー部材５１が鉛直方向に貫入され、この部分の両側面に第２の木製梁４２及び第３の木製梁４３が接合されている。上記第１のスクリュー部材５１は、図５に示すものと同じ構成を備えており、その水平方向に設けた貫通孔には、第１の木製梁４１を貫通するボルトが挿通されている。そして、このボルトによって第１の木製梁４１の両側面にそれぞれ梁接合金具が固着されている。これらの梁接合金具は、図４に示すものと同じものを用いることができる。第２の木製梁４２及び第３の木製梁４３は、図２から図４に示す第２の木製梁２２と全く同様の加工が施され、それぞれにスクリュー部材５２，５３が貫入されている。そして、ピン５５を第２の木製梁４２及び第３の木製梁４３の側面から貫入することによって、上記梁接合金具に接合されている。つまり、この接合構造では、第１の木製梁４１に貫入された１本のスクリュー部材５１を用いて両側に二つの梁４２，４３を接合することができ、３つの梁の接合部を簡単な構造とすることができる。
【００４１】
図７は、請求項６又は請求項７に係る発明の一実施形態である梁の接合構造を示す概略斜視図である。
この接合構造は、二つの木製梁６１，６２の軸線方向を一致させ、双方の端面を突き合わせるように接合するものであり、双方の木製梁の端部には鉛直方向に、スクリュー部材７１，７２がねじ込まれている。第１の木製梁６１にねじ込まれた第１のスクリュー部材７１には、水平方向にねじ穴７１ａが設けられており、第１の木製梁６１の端面６１ａから第１のスクリュー部材７１に向かって設けられた横穴６１ｂに挿通してボルト７４が第１のスクリュー部材７１に螺合され、端面に梁接合金具７３が固着されている。一方、第２の木製梁６２は、図２から図４に示す実施形態と全く同じものであり、第１の木製梁６１の端面に固着された梁接合金具７３にピン７５を用いてしっかりと固定することができる。
【００４２】
図８及び図９は、請求項８又は請求項１０に係る発明の一実施形態である梁の接合構造を示す概略斜視図である。
この接合構造は、図２から図４に示す実施形態における第１の木製梁２１と第２の木製梁２２とが接合された部分で、第１のスクリュー部材３１を利用してさらに木製柱１１を接合する構造である。
第１の木製梁２１には第１のスクリュー部材３１がねじ込まれた位置と所定の間隔をおいて第３のスクリュー部材３６が鉛直方向にねじ込まれている。そして、これらのスクリュー部材の下端面には軸線方向にねじ穴が穿設されており、このねじ穴にボルト３７を螺合することによって木製柱１１が接合される。木製柱１１は、第１の木製梁２１の軸線に沿った方向に幅が広く、部材厚は第１の木製梁２１と同じ厚さで幅よりも寸法が小さくなっている。この木製柱の幅方向（第１の木製梁の軸線方向）における両端部には、図９に示すように、切り欠き１１ａとこれに連続するスリット１１ｂが設けられており、この部分に柱固定金具３８が固着される。
【００４３】
柱固定金具３８は、図９に示すように、木製梁の下面と対向する第１の板部３８ａと、この第１の板部３８ａの対向する２辺から平行に立ち上げられた２つの第２の板部３８ｂとを有しており、第１の板部３８ａの中央にはボルト３７を挿通する穴３８ｃが設けられている。この第１の板部３８ａには、曲げ変形が生じないように充分な厚さの鋼板を用いるのが望ましい。また、第２の板部３８ｂには、ピン３９を挿通する複数の穴３８ｄが設けられており、この第２の板部３８ｂを木製柱の上記スリット１１ｂ内に挿入し、側面から貫入したピン３９を上記穴３８ｄに挿通することによって、柱固定金具３８が木製柱１１に結合されるものとなっている。
【００４４】
このように木製柱１１が第１の木製梁２１と接合されることによって、木製柱１１の上端面は木製梁２１の下面に直接に当接され、鉛直方向の力が伝達されるとともに、木製柱１１と木製梁２１との間に曲げモーメントが作用したときに、２つのスクリュー部材３１，３６の一方には引張力が、他方には圧縮力が作用し、これらがスクリュー部材の全長にわたる周面から木製梁２１に伝達される。これにより木製梁２１には局部的に大きな応力が集中することがなく、木製柱１１と第１の木製梁２１との間で曲げモーメントの伝達が可能となり、これらによってラーメン架構体が形成される。
【００４５】
図１０は、請求項９又は請求項１０に係る発明の一実施形態である梁の接合構造を示す概略斜視図である。
この接合構造も、第１の木製梁２１と第２の木製梁２２とが接合された部分で、木製柱１１’を接合するものであるが、この接合構造では、第２の木製梁２２にねじ込まれた第２のスクリュー部材３２を利用して木製柱１１’を接合する構造である。この接合構造では、第２のスクリュー部材３２がねじ込まれた位置と所定の間隔を置いて、第２の木製梁２２に第３のスクリュー部材３６’を貫入する。そして、図８に示す接合構造と全く同様に木製柱１１’を接合することができる。このように接合された木製柱１１’は第２の木製梁２２と、曲げモーメントの伝達が可能に接合され、ラーメン架構体を形成する。
【００４６】
なお、図１１に示すように第１の木製梁２１に貫入された第１のスクリュー部材３１とこのスクリュー部材の位置と所定間隔で第２の木製梁２２に第３のスクリュー部材３６”を貫入し、木製柱１１”を接合することもできる。この場合には木製柱１１”は二つの梁２１，２２にまたがって接合されることになるが、第１の木製梁２１と第２の木製梁２２とはせん断力の伝達が可能に接合されており、第２の木製梁２２との間で曲げモーメントの伝達が可能となってラーメン架構体が形成される。
【００４７】
図８から図１０までに示す接合構造は、いずれも第１の木製梁２１の側面に第２の木製梁２２を接合した部分でさらに柱を接合するものであったが、図７に示すように二つの木製梁６１，６２の端面を突き合わせて接合した部分で柱を接合することもできる。そして、このときに第１の木製梁６１に貫入された第１のスクリュー部材７１を利用するものであってもよいし、第２の木製梁６２に貫入された第２のスクリュー部材７２を利用するものであってもよい。
【００４８】
また、上記の実施形態は、接合された梁の下面に柱の上端面を当接してこれらの梁を支持するものであったが、接合された梁の上に上層階の柱を立設することもできる。このときは、上記柱と木製梁との接合構造を上下に反転して全く同様に接合することができる。このとき、木製梁に貫入されたスクリュー部材は、梁の下側でこれらを支持する柱の接合に用いたものと共通に用いることができる。これにより、１階部分の柱と２階部分の柱とがスクリュー部材を介して連結され、双方の柱は通し柱に近い剛性を有するものとなる。また、上層階の柱は、上記のように１階部分の柱と同じ位置に立設されるものに限定されるものではなく、全く位置を変えて立設することができるし、２本のスクリュー部材の内の一方のみを共通に用いて少しずれた位置に立設することもできる。
【００４９】
【発明の効果】
以上説明したように、本願発明に係る梁の接合構造では、木製梁にスクリュー部材が鉛直方向にねじ込まれ、その周面の張り出し部によってスクリュー部材の全長にわたって木製梁と係止されている。したがって、全長にわたって鉛直方向の力が伝達され、局部的に応力が集中することなく、大きな鉛直方向の力が双方の梁間で円滑に伝達される。また、スクリュー部材は、木製梁の鉛直方向すなわち木目と直角方向にねじ込まれ、木製梁に木目に沿った割れが生じるの防止する機能を有することになる。
【００５０】
また、梁接合金具をスクリュー部材に螺合されるボルトで固着することにより、梁接合金具を取り付けた部分で木製梁の側面にボルト頭部又はナット等が露出することがなくなり、良好な外観とすることができる。したがって、この部分を居室内に現れるように内装を設計しても良好な居室環境が得られる。
さらに、木製梁の接合に用いたスクリュー部材は柱の接合にも用いることができ、２つの梁と柱との接合部において、柱と梁との間で断面力を円滑に伝達することも可能となる。
【図面の簡単な説明】
【図１】本願発明の梁の接合構造が好適に用いられる木造建築物の構造躯体を示す概略斜視図である。
【図２】請求項１、請求項２、請求項３又は請求項４に係る発明の一実施形態である梁の接合構造を示す立断面図である。
【図３】図２に示す接合構造の平断面図である。
【図４】図２及び図３に示す接合構造の分解斜視図である。
【図５】図２から図４までに示す接合構造で用いられるスクリュー部材の正面図、側面図及び平面図である。
【図６】請求項５に係る発明の一実施形態を示す概略斜視図である。
【図７】請求項６又は請求項７に係る発明の一実施形態を示す概略斜視図である。
【図８】請求項８又は請求項１０に係る発明の一実施形態を示す概略斜視図である。
【図９】図８に示す接合構造における柱の構造を示す概略斜視図である。
【図１０】請求項９又は請求項１０に係る発明の一実施形態を示す概略斜視図である。
【図１１】請求項８又は請求項１０に係る発明の他の実施形態を示す概略斜視図である。
【符号の説明】
１１　　木製柱
２１，４１，６１　　第１の木製梁
２２，４２，６２　　第２の木製梁
４３　　第３の木製梁
３１，５１，７１　　第１のスクリュー部材
３２，５２，７２　　第２のスクリュー部材
３３，７３　　梁接合金具
３４，７４　　ボルト
３５，５５，７５　　ピン
３６，５３　　第３のスクリュー部材
３７　　ボルト
３８　　柱固定金具
３９　　ピン
【図１】
2004092149.tif 000003
【図２】
2004092149.tif 000004
【図３】
2004092149.tif 000005
【図４】
2004092149.tif 000006
【図５】
2004092149.tif 000007
【図６】
2004092149.tif 000008
【図７】
2004092149.tif 000009
【図８】
2004092149.tif 000010
【図９】
2004092149.tif 000011
【図１０】
2004092149.tif 000012
【図１１】
2004092149.tif 000013